(57)【要約】      （修正有）【課題】転写捺染により希望の意匠を表現できる捺染用転写キット作製システムの提供。【解決手段】捺染用転写キット作製システムは、１又は２以上の捺染用熱転写シートの熱転写シート情報を記憶する第１記憶部と、布帛情報を記憶する布帛情報記憶部と、布帛情報と、捺染用熱転写シートの内の少なくとも１つの第１捺染用熱転写シートの情報とから、布帛に対し第１捺染用熱転写シートを用い少なくとも１つの転写条件で熱転写して得られる少なくとも２つの転写後布帛の画像データを作成する画像生成部と、転写後布帛の画像データに基づき、少なくとも２つの転写後布帛の画像を表示する転写イメージ表示部と、少なくとも２つの転写後布帛の画像のうち少なくとも１つの画像を選択可能に構成されている選択部と、選択した選択転写後布帛を得るために用いられる第１捺染用熱転写シートと転写条件とを含む捺染用転写キットの情報を表示するキット情報表示部を備える。【選択図】図２
2020071628.tif 000002
【特許請求の範囲】
【請求項１】
１または２以上の捺染用熱転写シートについての熱転写シート情報を記憶する第１記憶部と、
ユーザが転写の対象とする布帛についての布帛情報を記憶する布帛情報記憶部と、
前記布帛情報と、前記捺染用熱転写シートのうちの少なくとも１つの第１捺染用熱転写シートについての情報とから、前記布帛に対し前記第１捺染用熱転写シートを用い少なくとも１つの転写条件で熱転写して得られる少なくとも２つの転写後布帛の画像データを作成する画像生成部と、
前記転写後布帛の画像データに基づき、少なくとも２つの前記転写後布帛の画像を表示する転写イメージ表示部と、
ユーザが、少なくとも２つの前記転写後布帛の画像のうち少なくとも１つの画像を選択可能に構成されている選択部と、
ユーザが選択した選択転写後布帛を得るために用いられる前記第１捺染用熱転写シートと前記転写条件とを含む捺染用転写キットの情報を表示するキット情報表示部と、
を備える、捺染用転写キット作製システム。
【請求項２】
ユーザが前記布帛に対し転写する予定の画像についての転写画像情報を記憶する画像情報記憶部を備え、
前記画像生成部は、前記布帛情報と、前記第１捺染用熱転写シートについての熱転写シート情報と、前記転写画像情報とから、前記布帛に対し前記画像を前記第１捺染用熱転写シートを用い、少なくとも１つの転写条件にて熱転写して得られる少なくとも２つの転写後布帛の画像データを作成するように構成されている、請求項１に記載の捺染用転写キット作製システム。
【請求項３】
前記転写条件は、前記熱転写における前記捺染用熱転写シートの加熱温度および加熱時間の少なくとも１つについての情報を含む、請求項１または２に記載の捺染用転写キット作製システム。
【請求項４】
１または２以上の仕上シートについての仕上シート情報を記憶する第２記憶部を備え、
前記画像生成部は、前記転写後布帛の画像データと、前記転写後布帛に対して前記仕上シートのうちの少なくとも１つの第１仕上シートとを用いて仕上転写した仕上転写後布帛の画像データと、を作成するように構成されている、請求項１〜３のいずれか１項に記載の捺染用転写キット作製システム。
【請求項５】
前記転写条件は、前記仕上転写の加熱温度および加熱時間の少なくとも１つを含む、請求項４に記載の捺染用転写キット作製システム。
【請求項６】
前記布帛についての情報は、少なくとも当該布帛の主組成、当該布帛のスキャン画像データ、当該布帛の撮像データ、ならびに、当該布帛の少なくとも主組成情報を含むコード、からなる群から選択される少なくとも１つを含む、請求項１〜５のいずれか１項に記載の捺染用転写キット作製システム。
【請求項７】
ユーザが、前記キット情報表示部に表示された前記キット情報に対応する前記捺染用転写キットの購入を注文できるように構成されているオーダー部を備える、請求項１〜６のいずれか１項に記載の捺染用転写キット作製システム。
【請求項８】
１または２以上の捺染用熱転写シートについての熱転写シート情報を記憶する第１記憶部と、
ユーザが転写の対象とする布帛についての布帛情報を受信する第１受信部と、
前記布帛情報と、前記捺染用熱転写シートのうちの少なくとも１つの第１捺染用熱転写シートについての情報とから、前記布帛に対し前記第１捺染用熱転写シートを用い少なくとも１つの転写条件にて熱転写して得られる少なくとも２つの転写後布帛の画像データを作成する画像生成部と、
少なくとも２つの前記転写後布帛の画像データをユーザに送信する第１送信部と、
送信した少なくとも２つの前記転写後布帛の画像データのうち、ユーザが選択した選択転写後布帛についての情報を受信する第２受信部と、
前記選択転写後布帛を得るために用いられる前記第１捺染用熱転写シートと前記転写条件とを含む捺染用転写キットの情報を生成するキット情報生成部と、
前記捺染用転写キットの情報をユーザに送信する第２送信部と、
を含む、捺染用転写キット作製装置。
【請求項９】
コンピュータを、請求項１〜７のいずれか１項に記載の捺染用転写キット作製システムとして動作させるように構成されている、コンピュータプログラム。
【発明の詳細な説明】
【技術分野】
【０００１】
本発明は、捺染用転写キット作製システムに関する。
【背景技術】
【０００２】
近年、布帛等に対する捺染技術の分野では、消費者の多様な嗜好を満足させる多様な意匠を、たとえ少量であっても要求（Demand）に応じた必要数だけ布帛に印刷することが求められている。そのため、捺染インクを用い、デジタルデータに基づいて無版で印刷を行うインクジェットプリンタが提供されている（例えば特許文献１参照）。捺染インクとは、色材としての顔料と、この顔料を布帛に定着させるための捺のりとを含むインクである。しかしながら、インクジェット方式ではインクを微小な液滴状に吐出して印刷する。そのため、インクジェット印刷に適用できる捺染インクは、顔料の濃度や粒度等が制限される。その結果、一回の印刷で、適切に印刷できる記録媒体のインク吸収性や定着性についても制限され、メディア選択性が狭いという問題が潜在している。
【０００３】
一方で、熱転写シートを用いて布帛に捺染による図柄を付与する転写捺染法も利用されている。転写捺染法では、予め熱転写シートの熱転写層に所望の図柄を捺染印刷したのち、熱転写シートを布帛に重ねて熱および圧を加えることで、図柄を熱転写層ごと布帛に転写するものである。この熱転写シートは、以前は、耐熱性の高い綿を５０〜１００％含む布帛に対してのみしか使用できなかったが、近年では、化学繊維を５０〜１００％含む布帛に対して使用できるものが提供されている。また、転写後の図柄の視認性を高めるために、白淡色布帛用の熱転写シートと濃色布帛用の熱転写シート等も提供されている。さらに、熱転写層を転写面である布帛の表面に密に固定するために、仕上転写用のシートが提供されてもいる。
【先行技術文献】
【特許文献】
【０００４】
【特許文献１】特開平５−３０１３３９号公報
【発明の概要】
【発明が解決しようとする課題】
【０００５】
ところで、熱転写シートの販売サイト（実店舗およびインターネットサイト等を含む。）には、当該熱転写シートの製品説明や使用方法とともに、使用例（転写例）が写真等で提供されることがある。しかしながら、多種多様な熱転写シートや仕上シート等の周辺用品が提供されるにつれ、経験に乏しいユーザは、これらの製品情報を見てもなお、使用する布帛に対して最適な熱転写シートの選択や、加熱温度等の転写条件について迷う場合があった。例えば、布帛と熱転写シートとの適切な組み合わせを選択することができず、誤った組合せや転写条件で転写した場合等に、転写後の物品（以下、成果物という場合がある。）の使用に難をきたす場合があった。さらに、経験を有するユーザであっても、自身が想像している転写後の転写物と、実際に熱転写して得られる成果物とが乖離してしまうことがあった。布帛への熱転写はやり直しが効かないため、ユーザには、一度の熱転写で所望の成果物を得たい、失敗したくない、という願望がある。
【０００６】
本発明はかかる点に鑑みてなされたものであり、その目的は、ユーザが任意の布帛に対して転写捺染により希望に即した意匠を表現できる捺染用転写キット作製システムを提供することである。
【課題を解決するための手段】
【０００７】
本発明者らの検討によると、熱転写に際しては、求める成果物と、布帛の組成や色味、表面形態等とを勘案して、適切な熱転写シートと転写方法とを選択する必要があるが、一般のユーザにはその選択が困難なことが多い。例えばユーザは、転写に使用する布帛の組成に関する情報を、入手できなかったり、情報があっても内容を理解できない場合があり得る。また例えば、熱転写に際しては、同一の画像を一定の転写条件で熱転写する場合であっても、布帛の色合い、凹凸等の表面形態によって、成果物の意匠性（例えば、色合い、視認性）や機能（例えば、洗濯堅牢性）が異なり得る。しかしながら、ユーザは、自身が用意した布帛について所望の成果物を得るための、最適な熱転写シートと転写条件とを決定できるだけの経験がない場合が多い。その結果、熱転写シート等を十分に活用しきれていない場合もあった。
【０００８】
ここに開示される捺染用転写キット作製システム（以下、単に「キット作製システム」、「システム」等という場合がある。）は、１または２以上の捺染用熱転写シートについての熱転写シート情報を記憶する第１記憶部と、ユーザが転写の対象とする布帛についての布帛情報を記憶する布帛情報記憶部と、上記布帛情報と、上記捺染用熱転写シートのうちの少なくとも１つの第１捺染用熱転写シートについての情報とから、上記布帛に対し上記第１捺染用熱転写シートを用い少なくとも１つの転写条件で熱転写して得られる少なくとも２つの転写後布帛の画像データを作成する画像生成部と、上記転写後布帛の画像データに基づき、少なくとも２つの前記転写後布帛の画像を表示する転写イメージ表示部と、ユーザが、少なくとも２つの上記転写後布帛の画像のうち少なくとも１つの画像を選択可能に構成されている選択部と、ユーザが選択した選択転写後布帛を得るために用いられる上記第１捺染用熱転写シートと上記転写条件とを含む捺染用転写キットの情報を表示するキット情報表示部と、を備える。
【０００９】
上記構成によれば、ユーザが用意した任意の布帛について、熱転写シートの種類を含む異なる転写条件にて得られる転写後布帛の実物により近いイメージを作成して表示することができる。例えばｎ種類の熱転写シートを用い、ｍ種類の転写条件で転写する場合、ユーザは、「ｎ×ｍ」通りの転写後布帛の具体的なイメージを視認することができる。これにより、実際に全ての転写シートを入手して様々な転写条件で転写したときの成果物の意匠性を確認する手間を省いて、当該転写シートによって表現される意匠を確認することができる。また、例えば「ｎ×ｍ」通りの転写後布帛のイメージから、ユーザが所望する転写後布帛のイメージを選択することで、当該転写後布帛を作成するための熱転写シートおよび熱転写条件を、捺染用転写キットとして得ることができる。これにより、ユーザが任意の布帛に対して転写捺染により実現できる意匠のうち、最も希望に叶う意匠を表現するための捺染用転写キットを提供することができる。
【図面の簡単な説明】
【００１０】
【図１】一実施形態に係るキット作製システムの構成を示す概念図である。
【図２】一実施形態に係るキット作製システムの構成を示すブロック図である。
【図３】一実施形態に係る熱転写シートの構成を説明する断面概略図である。
【図４】（ａ）熱転写後の布帛と、（ｂ）仕上転写後の布帛とを例示した像である。
【図５】布帛撮像セットの構成を説明する斜視図である。
【図６】一実施形態に係るキット作製方法のフロー図である。
【発明を実施するための形態】
【００１１】
以下、適宜図面を参照しながら、本発明の一実施形態について説明する。なお、ここで説明される実施形態は、当然ながら特に本発明を限定することを意図したものではない。また、同じ作用を奏する部材・部位には同じ符号を付し、重複する説明は適宜省略または簡略化する。なお、明細書中の数値範囲を示す「Ａ〜Ｂ」との表記は、「Ａ以上Ｂ以下」を意味する。
【００１２】
［キット作製システム］
図１は、キット作製システム１の構成を示す概略図である。キット作製システム１は、加飾対象としての布帛に対して捺染用インクを用いた熱転写による加飾を行うための捺染用転写キットの情報、あるいはキットそのものを提供するシステムである。このキット作製システム１は、サーバー１０と、情報処理端末２０と、を含む。サーバー１０と、情報処理端末２０とは、有線または無線で通信可能に接続されている。図１では、キット作製システム１はサーバー１０を１つ備えているが、サーバー１０は、構成要素が通信可能な２つ以上の部分に分けて備えられていてもよい。キット作製システム１は、１つのサーバー１０に対し、１つまたは２つ以上の情報処理端末２０を含んでよい。
【００１３】
サーバー１０は、例えば、ここに開示されるキット作製システム１を運営する企業等に設置されている。情報処理端末２０は、ユーザのアクセスし易い場所、例えば、任意のユーザの自宅や、ユーザが立ち寄りやすいショッピングセンター、家電機器販売店、ホームセンター、ハンドメイド・クラフト用品店、コンビニエンスストア等に設けられていてもよい。キット作製システム１により、ユーザは、所望の熱転写を実現する捺染用転写キットについての情報を得ることができ、例えば、当該捺染用転写キットを簡便に入手することができる。
【００１４】
本実施形態において、サーバー１０と、情報処理端末２０とは、インターネットを介して相互に通信可能に接続されている。サーバー１０と、情報処理端末２０とは、所有者が異なっていてもよい。例えば、キット作製システム１の利用を許可されたユーザが、自身の所有する情報処理端末２０等を用い、インターネット等を介してサーバー１０にアクセスすることができる。このように、サーバー１０と、サーバー１０にアクセスすることができる情報処理端末２０とにより、キット作製システム１が構築されている。インターネット等の通信手段を利用することで、ユーザは、場所や時間に制限されることなく、キット作製システム１を利用することができる。しかしながら、通信手段はインターネットに限定されない。通信手段は、例えば、イントラネット、エクストラネット等の公知の接続手段であってよい。あるいは、キット作製システム１の利用を許可されたユーザは、例えば、キット作製システム１を運営する企業等が提供する情報処理端末２０を用いて、サーバー１０にアクセスしてもよい。
【００１５】
加飾対象である布帛の種類は特に限定されない。例えば、布帛の織り方に特に制限はなく、平織、綾織、朱子織のいずれであってもよい。また、布帛の素材についても制限はなく、綿、麻（亜麻、苧麻、黄麻、大麻、マニラ麻等を含む。）、テンセル等の植物繊維、絹、羊毛等の動物繊維、レーヨン、キュプラなどの再生繊維、アセテート、トリアセテート、アクリル、ポリエステル、ナイロン、ポリウレタン等の合成繊維や、これらを混合したものであってもよい。さらに、布帛の経糸および緯糸の太さや撚りの強さ、布色についても特に制限されない。ここに開示されるキット作製システム１において、布帛は、後述する熱転写シートを用いた転写捺染（加飾）における加飾対象である。キット作製システム１は、この布帛に対する最適な捺染用転写キットを提供する。
【００１６】
ここに開示されるキット作製システム１では、捺染用転写キットに含まれる熱転写シートに対し、捺染インクを用いて加飾するようにしている。捺染インクは、少なくとも、顔料と、バインダ（染のりとも言う。）と、媒体とを含む。ここで、顔料とは、当該インクにおける色材であって、水に不溶で、布帛を構成する繊維に対して親和性に乏しい有色の微粒子全般をいう。捺染インクが顔料を含むことで、色褪せに対する耐性が高く、洗濯堅牢性にも優れた図柄を形成することができる。延いては、記録媒体の色合いによる影響を抑えて所定の発色が期待できる。またバインダは、顔料を繊維に固着させたり顔料粒子同士を固着させたりする機能を有する。バインダは、水に溶解する水溶性バインダであってもよいし、水に分散する水分散性バインダであってもよい。水分散性バインダは、エマルションタイプのバインダを包含する。このようなバインダとしては、例えば、塩化ビニル樹脂バインダ、アクリル樹脂バインダ、ビニル・アクリル樹脂バインダ、ウレタン樹脂バインダ、セルロース系バインダ等の各種の結着性樹脂が挙げられる。媒体の種類は厳密には規定されないが、人体に対する安全性の高い水を主体とすることが好ましい。顔料捺染では、捺染インクを用いて記録媒体に印捺したのち、乾熱処理を施すことによって、記録媒体に顔料を所望の図柄状に固着する。このことにより、記録媒体に所望の意匠を付与することができる。捺染インクによる捺染は、インクジェットプリンタを用い、図柄に対応する印刷データに基づいて好適に実施することができる。
【００１７】
図３は、捺染用熱転写シート（以下、単に「熱転写シート」という。）５０の構成の一例を説明する断面模式図である。ここに開示されるキット作製システム１において、熱転写シート５０は、例えばインクジェット印刷装置によって直接印刷される記録媒体となり得る。この熱転写シート５０は、例えば、キット作製システム１により決定される捺染用転写キットによって提供される。熱転写シート５０は、典型的には、剥離シート５２と、この剥離シート５２上に形成された転写層５４とを備える。
【００１８】
剥離シート５２は、転写層５４を支持する基材である。転写層５４は、支持体である剥離シート５２から剥離されて、被加飾物（ここでは布帛）に固着（転写）される要素である。剥離シート５２は、例えば、パルプ、紙、織布、不織布、樹脂フィルム等により構成することができる。剥離シート５２の転写層５４の側の表面には、剥離シート５２からの転写層５４の容易な転写を可能にする易剥離性を実現するための離型層５３が備えられていてもよい。剥離シート５２が離型層５３を備えることによって、例えば、転写層５４の破損等を抑制して転写することができる。離型層５３は、例えば、シリコーン系離形剤等により好ましく構成することができる。
【００１９】
転写層５４の構成は特に制限されない。一例として、転写層５４は、例えば、接着樹脂層５６、およびインク受容層５７を備えている。図３に示す例では、熱転写シート５０は、剥離シート５２の上に、接着樹脂層５６とインク受容層５７とがこの順に一体的に積層された積層構造を有している。この種の熱転写シート５０は、例えば、被加飾物である布帛にインク受容層５７が当接するように重ねた後、熱転写することで、布帛に転写層５４が転写される。このとき、転写層５４のインク受容層５７には、所望の画像を反転印刷することで、成果物に所望の正像が現れる。
【００２０】
接着樹脂層５６は、転写の前には、インク受容層５７を剥離シート５２に接着するとともに、転写の後には、インク受容層５７を被加飾物に固着する機能を有する。熱転写シート５０において、接着樹脂層５６は、加熱によって軟化して粘着性を示すとともに、冷却によって硬化する材料（典型的には、熱可塑性樹脂や熱可塑性エラストマー）により構成される。熱可塑性樹脂としては、例えば、ガラス転移点が５０℃〜１５０℃の範囲の（メタ）アクリル樹脂、ポリエステル樹脂、ポリウレタン樹脂、ポリスチレン樹脂、ポリエチレン樹脂、ポリプロピレン樹脂、ポリ塩化ビニル樹脂、ポリ酢酸ビニル樹脂、ポリアミド樹脂が好適例として挙げられる。熱可塑性エラストマーは、熱を加えると軟化して流動性を示し、冷却するとゴム弾性を示す高分子であり、例えば、ウレタン系、エステル系、オレフィン系、スチレン系、塩化ビニル系、アミド系等の各種の熱可塑性エラストマーを用いることができる。接着樹脂層５６の軟化温度は、当該熱転写シート５０の使用対象である布帛の耐熱温度よりも低くなるよう調整されている。接着樹脂層５６は、例えば、平均粒子径が５０ｎｍ〜５００ｎｍ程度の上記の熱可塑性粒子をバインダによって層状に堆積させることで構成することができる。インク受容層５７は、ユーザによって所望の意匠が付与される要素である。インク受容層５７は、例えば、インク吸収能を有する顔料粒子とバインダとを含む。インク吸収能を有する顔料としては、シリカゲル、アルミナ、炭酸カルシウム、カオリン、クレー、チタン白などの無機顔料や、合成樹脂からなるプラスチックピグメント等が挙げられる。接着樹脂層５６およびインク受容層５７に含まれるバインダとしては、例えば、でんぷん、ポリビニルアルコール（ＰＶＡ）、カルボキシメチルセルロース（ＣＭＣ）およびその塩、アクリルエマルション、スチレンブタジエンゴム（ＳＢＲ）、エチレン酢酸ビニル共重合体（ＥＶＡ）等が挙げられる。
【００２１】
なお、熱転写シート５０を構成する各層の厚みは厳密には制限されない。例えば、一好適例として、剥離シート５２の厚みは、凡そ５０μｍ〜１００μｍ、例えば８０μｍ〜９５μｍ程度とすることができる。離型層５３の厚みは、凡そ０．５μｍ〜２０μｍ、例えば１μｍ〜１０μｍ程度とすることができる。接着樹脂層５６の厚みは、凡そ２０μｍ〜１００μｍ、例えば２５μｍ〜９０μｍ程度とすることができる。インク受容層５７の厚みは、凡そ１μｍ〜２０μｍ、例えば５μｍ〜１０μｍ程度とすることができる。
【００２２】
ここで、転写層５４のうち接着樹脂層５６は、典型的には、被加飾物である布帛の表面状態に対応するように厚みが調整されていてもよい。例えば、比較的凹凸のある表面形態を有する布帛に対しては、接着樹脂層５６の厚みが相対的に厚い熱転写シート５０を好ましく用いることができる。これにより、転写に際し布帛表面の凹部に軟化された接着樹脂が優先的に充填されて、インク受容層５７に形成された意匠が歪んで画質が乱れたり、色合いがくすんだりする不都合を抑制することができる。相対的に厚い接着樹脂層５６の厚みは厳密には制限されず、例えば、凡そ６０μｍ〜１００μｍ、例えば６５μｍ〜８０μｍ程度とすることができる。接着樹脂層５６の厚みが相対的に厚い熱転写シートは、例えば、凹凸布帛用の熱転写シートとすることができる。一方で、比較的平坦な表面形態を有する布帛に対しては、接着樹脂層５６の厚みを相対的に薄くすることが好ましい。これにより、転写に際して熱転写シート５０を加熱しながら押圧する際に、過剰な接着樹脂が剥離シート５２と布帛との間で移動して、インク受容層５７に形成された意匠を歪めてしまうという不都合を抑制することができる。相対的に薄い接着樹脂層５６の厚みは厳密には制限されず、例えば、凡そ２０μｍ〜６０μｍ、例えば２５μｍ〜５５μｍ程度とすることができる。接着樹脂層５６の厚みが相対的に薄い熱転写シートは、例えば、平坦布帛用の熱転写シートとすることができる。
【００２３】
なお、上述の熱転写シート５０は、転写層５４に反転印刷された画像を、反転転写することで所望の画像（正像）を転写するように構成されている。この種の熱転写シート５０は、熱転写工程が簡便であり、転写後の転写層５４では、溶融固化した接着樹脂層５６が画像が印刷されたインク受容層５７の表面を覆うために洗濯堅牢性に優れた転写を実現できるという利点がある。その反面、インク受容層５７が接着樹脂で覆われるため、画像の発色が劣ったり質感が制限される場合があった。また、反転したインク受容層５７において画像が視認できるようにインク受容層５７を透明にすることが好ましく、その結果、白や淡白色の布帛でないと転写後に画像の色合いが忠実に反映され難いという問題がある。
【００２４】
そこで熱転写シート５０は、転写層５４を反転させずに転写する構成であってもよい。例えば、他の実施形態に係る熱転写シート５０において、転写層５４は、熱転写の前に剥離シート５２から剥離できる構成であってよい。そして剥離して独立した転写層５４を、接着樹脂層５６の側が布帛に当接するように（反転させずに）重ねた後、熱転写することで、布帛に転写層５４を転写するように構成されていてもよい。このとき、転写層５４の接着樹脂層５６が後述する加熱加圧のための手段（例えば、アイロン）に粘着しないように、離型紙を介して熱転写するとよい。これにより、インク受容層５７に正像印刷された画像が、成果物に正像のまま転写される。このような構成によると、インク受容層５７の表面が接着樹脂層５６に覆われ難く、画像が成果物に鮮明に再現されて発色がよくなるという利点がある。また、例えば、インク受容層５７を白色にすることで、インク受容層５７にて画像の色合いをより忠実に再現することができ、例えば、黒や濃色の布帛へも色合いを損ねることなく画像を転写することができる。またインク受容層５７を白色にする他に、シルバーやラメ、パール顔料等を入れることで、成果物にインクジェットプリンタ等では実現することができない様々な意匠性を付与することができる。その一方で、かかる熱転写シート５０による熱転写は、工程数が増える点において煩雑さを含む。このような熱転写シート５０における転写層５４には、転写層５４が剥離シート５２から剥離されたのち布帛に載置されるまでの間、変形および破損等することなく単独で形状を維持できる強度を実現するための成分や構成（例えば補強成分や補強層等）が含まれていてもよい。また、この種の熱転写シート５０には、転写の際に必須の離型紙が標準付帯物として備えられている。
【００２５】
このように、熱転写シート５０のうちの転写層５４は、インク受容層５７への意匠の付与の前において、有色であっても無色であってもよいし、透明であっても不透明であってもよいし、さらには、インクジェット印刷法では実現できない他の意匠性が付与されていてもよい。好適な一態様において、熱転写シート５０は、布帛の色合いや、印刷データの内容に応じて、例えば、転写層５４が、無色透明であるものと、白色であるものと、金属光沢やパール色調があるものとを適切に使い分けるとよい。転写層５４の色合いが異なる熱転写シート５０を使い分けることで、ユーザの要望に応じた意匠を熱転写することができる。例えば、布帛の色合いによる影響を受けることなく、印刷データに忠実な色合いの画像を転写したい場合は、インク受容層５７が透明ではなく、例えば白色の熱転写シート５０を用いるとよい。例えば、白色または淡色の布帛に画像を転写する場合であって、転写する画像以外の場所に転写層５４の存在感を表したくない場合は、例えば、インク受容層５７が透明の熱転写シート５０を用いるとよい。なお、転写層５４の色合いは、例えば、インク受容層５７の構成成分として、無機白色粒子（例えば、粒径が２５０ｎｍ以上の粒子）を含有させることで、白色に調製することができる。また、例えば、インク受容層５７の構成成分として、無色透明粒子（例えば、粒径が２５０ｎｍ未満の粒子）を含有させることで、透明に調整することができる。また、例えば、インク受容層５７と接着樹脂層５６との間や、インク受容層５７よりも表面側に、光沢粒子（例えば、金粉、金属アルミニウム粒子、着色金属アルミニウム粒子、マイカ粒子等）を含有する層（図示せず）を設けることで、光沢色（それぞれ、金色、銀色、カラー金属色、パール色等）に調製することができる。
【００２６】
なお、本明細書では、上述のように、剥離シート５２から剥離された転写層５４を熱転写する際に用いる、粘着剤に対する剥離力を備えるシートを離型紙という。熱転写時に転写層５４と粘着せず、転写層５４に損傷を与えることなく、転写層５４から良好に剥離できるものであればその構成は特に制限されない。離型紙としては、例えば、紙や耐熱樹脂等からなる基材の表面に、シリコーン樹脂やフッ素樹脂等の剥離層が設けられた構成のものが例示される。
【００２７】
仕上シートは、熱転写シート５０の転写層５４を布帛に熱転写したのち、転写層５４が布帛により強固に固着するように、アイロン等を用いて仕上げの加熱および押圧（仕上転写）をする場合に、転写層５４および布帛に被せるシートである。仕上シートは、仕上転写の際に、転写層５４がアイロン等に付着して図柄が乱れたり破損したりしないように、転写層５４の表面を保護して付着を防止する機能を有する。仕上シートの構成は、上記機能を有する限り制限されず、例えば、上述の離型紙と同じ構成であってもよい。また、仕上シートは、転写層５４と当接する側の面に凹凸を備え、仕上転写時に当該凹凸に対応する凹凸模様を転写層５４に付与するように構成されていてもよい。仕上シートに備えられる凹凸は、例えば、ヒョウ柄等の所定の意匠を転写層５４に付与するように構成されていてもよい。本明細書では、主たる使用目的および使用タイミングが一部異なり得る点において、離型紙と仕上シートとを区別している。
【００２８】
図４（ａ）は一実施形態に係る熱転写後の布帛の像であり、（ｂ）は、（ａ）の熱転写後の布帛に対して仕上転写を施した後の布帛の像である。（ｂ）に示されるように、例えば、熱転写後の布帛に対して、仕上シートを用いて仕上転写を施すことで、転写層５４が布帛の表面の凹凸の奥深くにまで入り込んだり、繊維に絡みつくように固着され得る。これにより、耐久性および洗濯堅牢性に優れた熱転写を実現することができる。また、例えば、布帛の表面形態等の布合いを反映した転写を実現することができる。仕上シートは、基材の厚み方向における柔軟性が高く、弾性の低いものを用いることで、例えば、上記（ｂ）に示したように、転写層５４を布帛の表面の凹凸に追随させることができる点において好ましい。
【００２９】
その一方で、ユーザによっては、凹凸の大きな布帛に対し、転写層５４を凹凸の奥深くにまで押し込まない意匠を実現したいという要求も存在し得る。仕上転写により現れる転写層５４の凹凸具合は、例えば、使用する離型紙の種類を変えることで、（ａ）と（ｂ）との間で変化させることができる。例えば、基材の厚み方向における柔軟性が低く、弾性の高い離型紙を用いることで、例えば上記（ａ）に示したように、転写層５４の凹凸の発生を抑制して、仕上転写を行うことができる。なお、このような場合、転写層５４が布帛の凸部と凸部との間で浮く可能性がある。このような状態は転写層５４の耐久性を著しく損い得るために好ましくない。したがって、このような場合は、接着樹脂層５６の厚みの厚い熱転写シート５０を組み合わせて用いるとよい。
【００３０】
［サーバー］
図２は、転写キット作製システム１の構成を説明するブロック図である。サーバー１０は、典型的にはコンピュータである。コンピュータのハードウェアの構成は特に限定されず、例えば、情報処理端末２０等の外部機器から布帛についての情報等の各種情報を送受信するインターフェイス（Ｉ／Ｆ）と、制御プログラムの命令を実行する中央演算処理装置（central processing unit：ＣＰＵ）と、ＣＰＵが実行するプログラムを格納したＲＯＭ（read only memory）と、プログラムを展開するワーキングエリアとして使用されるＲＡＭ（random access memory）と、各種のデータを記憶する記憶部とを備えている。また、サーバー１０は、例えばＦＰＧＡ（field-programmable gate array）等の書き換え可能なプログラマブルロジックデバイスによって構成されていてもよい。ＦＰＧＡは、例えば、集積回路によって構成されるＣＰＵコアや、乗算器、ＲＡＭ、および関連する周辺回路等を含むことができる。
【００３１】
図２に示すように、サーバー１０は、第１記憶部１１、第２記憶部１２、布帛情報記憶部１３、画像情報記憶部１４、画像生成部１５、キット情報生成部１６、および受注部１７を備えている。またＩ／Ｆは、第１受信部１８ａ、第２受信部１８ｂ、第１送信部１９ａ、および第２送信部１９ｂを含む。これらサーバーの各部は、回路やマイクロプロセッサ等のハードウェアにより構成されていてもよいし、ＣＰＵがプログラムを実行することで実現されるように構成されていてもよい。
【００３２】
第１記憶部１１は、１または２以上の熱転写シート５０についての熱転写シート情報を記憶する。熱転写シート５０は、例えば、キット作製システム１が提供可能な熱転写シートを含む。熱転写シート情報は、例えば、熱転写シート５０の接着樹脂層５６の厚み、軟化温度、転写層５４が有する色彩等の意匠性、加飾対象として好ましい布帛の素材（例えば主組成）、色合いおよび表面粗さ、当該熱転写シート５０を熱転写するための加熱温度、加熱時間等の好適な転写条件などであり得る。これらの情報は、例えば、熱転写シート５０ごとに、布帛の素材等の情報と当該布帛に対する特に好適な転写条件とが予め紐付けられていてもよい。またこれらの情報は、例えば、布帛の素材等の情報と、当該布帛に対する特に好適な転写条件と、これによる成果物の特徴的な情報とが、予め紐付けられていてもよい。
【００３３】
第２記憶部１２は、付加的な要素であって、１または２以上の仕上シートについての情報を記憶する。仕上シートは、例えば、キット作製システム１が提供可能な仕上シートを含む。仕上シートの情報は、例えば、当該仕上シートの基材の性状（厚み、凹凸の有無等）、および、これに対応した仕上転写対象として好ましい布帛の表面粗さ、仕上転写するための加熱温度、加熱時間等の好適条件であり得る。
【００３４】
布帛情報記憶部１３は、ユーザが転写捺染の対象とする布帛についての情報を記憶する。かかる布帛情報は、例えば、布帛の素材（例えば主組成）、色合い、表面粗さ、耐熱性等の情報を含む。布帛情報は、例えば、ユーザが情報処理端末２０によってサーバー１０に送信したものであってもよいし、予め布帛情報記憶部１３に記憶されている情報であってもよいし、布帛情報記憶部１３がアクセスできるサーバー１０以外に記憶されている情報であってもよいし、これらの複数に該当する情報であってよい。布帛情報は、一例として、数値化して記憶するとよい。例えば、布帛の色彩は、マンセル表色系やＬ＊ａ＊ｂ＊表色系等に代表される各種の表色系システムを利用することにより数値化することができる。また、布帛の凹凸は、両面粗さや、経糸の太さ等によって数値化することができる。布帛情報記憶部１３は、例えば、ユーザから得た布帛の画像等から、当該布帛の色や凹凸等を数値化することができる画像処理機能を備えていてもよい。また、ユーザによって送信されない布帛についての情報とは、例えば、布帛や布帛製品を製造する製造元や、布それらを販売する販売元から入手することができる。入手する布帛情報は、例えば、布帛または布帛製品を特定する情報（ＩＤ）等を含んでいてもよい。
【００３５】
画像情報記憶部１４は、付加的な要素であって、ユーザが布帛に対し転写する予定の画像についての転写画像情報を記憶する。かかる転写画像情報は、例えば、ユーザがプリンタ等によって熱転写シートに印刷する画像の画像データであってよい。この画像データは、例えば、ユーザによって後述する情報処理端末２０からサーバー１０に送信される。サーバー１０に送信された画像データは、第１受信部１８ａが受信して画像情報記憶部１４に記憶される。なお、画像情報記憶部１４は、転写による意匠性を評価するために適したテスト印刷画像についての転写画像情報を記憶していてもよい。なお、画像情報記憶部１４は、転写後布帛の画像データを簡便に作成するために、ユーザが布帛に対し転写する予定の画像に代えて使用することができるサンプル画像データを、一つの転写画像情報として予め記憶していてもよい。
【００３６】
画像生成部１５は、布帛情報記憶部１３に記憶されている布帛についての布帛情報と、第１記憶部１１に記憶されている少なくとも１つの熱転写シート５０についての第１熱転写シート情報とから、布帛に対し熱転写シート５０を熱転写して得られる転写後布帛の画像データを少なくとも２つ作成する。転写後布帛の画像データは、実際に布帛に対し熱転写シート５０を熱転写して転写後布帛を作製し、当該転写後布帛を撮像して予め用意したものであってもよい。例えば、布帛がＴシャツや鞄等の縫製済物品である場合、実際の縫製済物品について転写後布帛の画像が得られる点において好ましい。また、画像生成部１５は、画像処理機能を備えており、画像処理機能によって転写後布帛の画像データを作成してもよい。この場合、画像生成部１５が備える画像処理機能は特に制限されない。例えば、転写後布帛の画像データは、布帛の画像に、布帛と軟化された転写層５４との厚み寸法の物理的足し合わせや、布帛の色彩に対する転写層５４の色彩の光学的効果を考慮した重ね合わせ等の処理を施すことにより作成することができる。あるいは、複数の実際の布帛と複数の熱転写シート５０とを用いて得られた複数の転写後布帛の画像データについての学習済みモデルを使用して、転写後布帛の画像データを予測的に作成してもよい。また、画像生成部１５は、画像情報記憶部１４に記憶された転写画像情報を印刷した熱転写シート５０について、転写後布帛の画像データを作成してもよい。このとき、転写画像情報は、ユーザが布帛に対し転写する予定の画像についての転写画像情報であってもよいし、サンプル画像についての転写画像情報であってもよい。キット作製システム１が提供可能な熱転写シート５０の数がｎ個の場合、作成される転写後布帛の画像データは、典型的にはｎ個であってよいが、これに限定されない。例えば、画像生成部１５は、布帛の主成分から予想される耐熱温度近傍あるいは当該耐熱温度よりも高い温度で熱転写する必要のある熱転写シート５０については、その熱転写シート５０を用いて得られる転写後布帛の画像データを作成しなくてもよい。転写後布帛の画像データは、例えば、記憶部に保存することができる。
【００３７】
画像生成部１５は、転写後布帛の画像生成に際し、いずれか１つの熱転写シート５０に対し、複数の転写条件で転写したときの転写層５４の形態について、複数の転写後布帛の画像データを作成してもよい。このとき採用する熱転写シート５０の選択は、布帛情報に基づき、当該布帛に最も相性のよい熱転写シート５０の中から選択するとよい。布帛と熱転写シート５０との相性は、少なくとも、布帛の耐熱温度（すなわち主組成）よりも熱転写シートの加熱温度が低いという温度条件を含むとよい。また転写条件の異なる転写後布帛の画像データは、例えば、当該熱転写シート５０の推奨転写条件に基づいて作成した転写後布帛の画像データに対し、例えば、転写時の加熱温度、加熱時間、圧力、仕上転写の有無、使用する仕上シートの性状等のうちの少なくとも一つの条件を変化させて転写したときの、転写層５４の厚み寸法や軟化度、布帛への追随性等の変化を考慮して作成することができる。また、画像生成部１５は、転写後布帛の画像生成に際し、２つ以上の熱転写シート５０を用いることで、異なる２以上の転写条件で転写した複数の転写後布帛の画像データを作成してもよい。さらに、画像生成部１５は、複数の熱転写シート５０毎に、複数の実際の布帛を用い、転写条件を異ならせて転写することで得られた複数の転写後布帛の画像データについての学習済みモデルを使用して、転写条件を異ならせた場合の転写後布帛の画像データを予測的に作成してもよい。
【００３８】
一例では、画像生成部１５は、仕上転写をしたときの転写後布帛の画像データを作成することができる。この場合、画像生成部１５は、推奨転写条件に基づいて作成した転写後布帛の画像データと、第２記憶部１２に記憶されている仕上シートについての仕上シート情報とから、画像処理によって、転写後布帛に対して仕上シートを用い、加熱温度および加熱時間の少なくとも一つの条件を変化させて仕上転写をして得られる仕上転写後布帛の画像データを作成することができる。画像生成部１５が備える画像処理機能は特に制限されない。例えば、仕上転写後布帛の画像データは、布帛に転写された転写層５４が、布帛の表面の凹凸に沿うように、仕上シートの表面性状を考慮して変形させること等により作成することができる。あるいは、実際の転写後布帛と仕上シートとを用いて得られた仕上転写後布帛の画像データについての学習済みモデルを使用して、仕上転写後布帛の画像データを予測作成してもよい。推奨転写条件に基づき画像生成部１５が作製した転写後布帛の画像データがｎ’個であって、キット作製システム１が提供可能な仕上シートの数がｍ個の場合、作成される仕上転写後布帛の画像データは、典型的には（ｎ’×ｍ）個ないしは（ｎ’×ｍ×仕上転写条件数）個であるが、これに限定されない。例えば、上式中の「仕上転写条件数」は、より好ましい転写条件から、ユーザが条件を変化させたいと考える変動の数を指定することで設定するようにしてもよい。なお、離型紙の使用が必須となる熱転写シート５０を用いたときの転写後布帛の画像データは、上記仕上転写を行う場合と同様に作成することができる。仕上転写後布帛の画像データは、例えば、記憶部に保存することができる。
【００３９】
なお、画像生成部１５は、付加的に、布帛と、当該転写および仕上転写を行うために用いる熱転写シートおよび／または仕上シート等との組み合わせの適否を判断し、当該適否の情報を、転写後布帛および仕上転写後布帛の画像に併せて作成してもよい。適否の判断には、例えば、布帛情報や、熱転写シート情報、仕上シート情報を総合的に考慮するとよい。これに限定されるものではないが、例えば、布帛が綿を５０質量％以上含む場合は、転写のための加熱温度が相対的に高い（例えば、約１７０℃以上、１８０±１０℃程度の）熱転写シートを用いると良いと判断でき、布帛が綿を５０質量％未満しか含まない場合は、加熱温度が相対的に低い（例えば、約１６０℃以下、１４０±１０℃程度の）熱転写シートを用いると良いといえる。また、例えば、布帛の色合いが予め定められた黒色や濃色であると判定された場合は、インク受容層５７が白色の熱転写シートを用いると良いといえ、布帛の色合いが予め定められた白色や淡色であると判定された場合は、インク受容層５７が透明の熱転写シートを用いると良いといえる。さらに、例えば、布帛の表面の凹凸に対して転写層５４を密着させたい場合は、上述のように、厚み方向の柔軟性の高い仕上シートを用いると良いといえる。あるいは、布帛の表面の凹凸に対して転写層５４の表面に平坦性を持たせたい場合は、例えば、接着樹脂層５６の厚みの厚い熱転写シート５０と、厚み方向の柔軟性の低い仕上シートとを組み合わせて用いたり、仕上転写は行なわないようにしたりすると良いといえる。また、伸縮性を備える布帛に対しては、伸縮性のある転写層５４を備える熱転写シート５０を組み合わせると良いといえ、伸縮性に乏しい転写層５４を備える熱転写シート５０を組み合わせることは好ましくないといえる。
【００４０】
また、濃色の布帛に対しては、類似の濃色の画像を転写すると視認性に乏しくなる場合がある。このような場合、画像生成部１５は、布帛の色と、画像の色とを考慮して、転写層５４が白色の熱転写シート５０を用いる組合せがよいのか、転写層５４が透明の熱転写シート５０を用いる組合せがよいのかを、評価した結果を生成するように構成されていてもよい。これにより、例えば、視覚的な好みだけではなく、画像を見ただけでは解り難い転写層の布帛への密着度や洗濯堅牢性等の特性を適否判断に反映し、転写後布帛の画像データに含めることができる。布帛と熱転写シート等との適否は、一例として、０〜１００％等の数値でその程度を表示してもよい。また、適否の表示は、例えば、○および×等による２段階表示や、○、△および×等による３段階表示、Ａ（優良）〜Ｅ（不適）等による５段階表示等で表現することができる。各評価の臨界値は、例えばいくつかの実施例を基に、適宜設定することができる。画像生成部１５は、例えば、適否の程度の良好な順に所定の数だけの転写後布帛の画像データを生成するように構成されていてもよい。
【００４１】
キット情報生成部１６は、ユーザが選択した選択転写後布帛を得るために用いられる捺染用熱転写シートと転写条件とを含む捺染用転写キットのキット情報を生成する。選択転写後布帛は、後述するが、画像生成部１５が生成した転写後布帛の画像データに基づきユーザに提示する２以上の転写後布帛の画像の中から、ユーザが選択した転写後布帛である。選択転写後布帛についての情報は、例えば、情報処理端末２０からサーバー１０に送信される。サーバー１０では、送られた選択転写後布帛についての情報を第２受信部１８ｂが受信し、キット情報生成部１６に送る。キット情報生成部１６は、選択転写後布帛についての情報から、例えば当該捺染用転写キットの構成要素のリストを含むキット情報を作成する。ユーザが複数の転写後布帛の画像を選択した場合、キット情報生成部１６は、それぞれの転写後布帛の画像に対応した捺染用転写キット情報を作成する。キット情報は、典型的には、熱転写シート５０の情報と、これを用いた熱転写の転写条件の情報とを含む。キット情報は、必要に応じて仕上シートの情報と、これを用いた仕上転写の転写条件の情報とを含む。熱転写シート５０や仕上シートの情報は、第１記憶部１１および第２記憶部１２に記憶されている各シートの情報であってよい。例えば、熱転写シート５０や仕上シートの製品名、型番、寸法、特徴、キット作製システム１における在庫の有無、他の入手先、価格等のいずれか１以上を含むとよい。
【００４２】
なお、捺染用転写キットは、熱転写シート５０と、必要に応じて含まれる仕上シートの他に、熱転写を好適に行うためのレシピを備えることができる。かかるレシピとは、例えば、キットに含まれる熱転写シート５０の転写のための加熱温度および加熱時間の少なくとも一つを含む熱転写条件についての情報である。さらに、キットが仕上シートを含む場合、このレシピは、仕上シートを用いた仕上転写の加熱温度および加熱時間の少なくとも一つを含む仕上転写条件についての情報を含んでもよい。また、このレシピは、ユーザが、家庭用アイロンを使って熱転写する際に利用できる好ましいアイロンがけのための情報や、熱プレス機を使って熱転写する際に利用できる好ましい熱プレス機による加熱押圧の方法等の情報を含んでもよい。
【００４３】
受注部１７は、例えばキット情報生成部１６が生成したキット情報を見たユーザが、当該捺染用転写キットを購入するために、例えば後述の情報処理端末２０から当該キットを注文したとき、当該注文を受けることができるように構成されている。受注部１７は、ユーザからの注文を記憶する。また、受注部１７は、例えば、当該捺染用転写キットの在庫があるかを確認したり、在庫がある場合には当該在庫を仮押さえして受注情報を元にユーザに代金の支払い情報を通知したり、販売管理部門に当該捺染用転写キットの準備、出荷等を指示するように構成されていてもよい。
【００４４】
［情報処理端末］
情報処理端末２０は、典型的にはコンピュータであり、例えばＩ／ＦとＣＰＵとＲＯＭとＲＡＭとを備えている。また、情報処理端末２０は、例えばＦＰＧＡ（field-programmable gate array）等の書き換え可能なプログラマブルロジックデバイスによって構成されていてもよい。ＦＰＧＡは、例えば、集積回路によって構成されるＣＰＵコアや、乗算器、ＲＡＭ、および関連する周辺回路等を含むことができる。情報処理端末２０は、入力装置２１およびディスプレイ２２を備えている。情報処理端末２０は、例えば、デスクトップ型やノート型のコンピュータや、タブレット端末、スマートフォン等の携帯型端末等であってよい。
【００４５】
入力装置２１は、ユーザがキット作製システム１に対する指示のほか、各種設定、選択等を入力するための装置である。入力装置２１の構成は特に制限されず、キーボード、マウス、タッチパネル、音声認識装置等であってよい。入力装置２１からの入力によって、キット作製システム１は、捺染用転写キットの作製を進行することができる。入力装置２１は、例えば、データ送信部２１ａ、選択部２１ｂ、オーダー部２１ｃ等を含み得る。これらの各部は、ハードウェアにより構成されていてもよいし、ＣＰＵがプログラムを実行することにより実現されるように構成されていてもよい。
【００４６】
データ送信部２１ａは、例えば、布帛情報や転写画像情報を、情報処理端末２０から、サーバー１０に送信する機能を有する。ここで、布帛情報は、布帛の主組成と、布帛のスキャン画像データ、当該布帛の撮像データ、ならびに、当該布帛についての主組成情報および表面粗さ情報を含むコード情報の少なくとも１つを含むことができる。布帛の主組成を知ることで、布帛の耐熱温度、延いては布帛に対する適切な熱転写温度を設定することができる。これにより、キットに含む熱転写シートとして、布帛に対して適切な転写温度を備える熱転写シート５０を選択することができる。あるいは、当該布帛には熱転写できないことを確認することができる。布帛のスキャン画像データおよび布帛の撮像データは、布帛の表面の凹凸および織りの粗さについての情報を含む。これら布帛のスキャン画像データおよび布帛の撮像データに基づいて、例えば、接着樹脂層５６の厚みがより適切な熱転写シート５０を好適な熱転写シート５０と判断したり、基材の弾性等の性状等がより適切な仕上シートをより好適な仕上シートと判断したりすることができる。
【００４７】
また、布帛についての情報は、例えば、布帛に備えられた素材に関する情報であって、文字、記号、ならびに、バーコードおよびＱＲコード（登録商標）等の符号で表されたコード情報であってもよい。このとき、情報処理端末２０あるいはサーバー１０は、コードスキャナ機能を備えていてもよい。コードスキャナは、各種のコード情報を読み取ることができる機能である。情報処理端末２０は、布帛情報をエンコードしたコード情報を、そのままあるいはデコードして、サーバー１０に送ることができる。サーバー１０は、コード情報を受信した場合は、例えば、必要に応じてエンコードされたこれらのコード情報をデコードするなどして、布帛情報を布帛情報記憶部１３に送ることができる。これにより、布帛についての知識に乏しいユーザであっても、適切な熱転写を行うに十分な情報を布帛情報記憶部１３に送ることができる。
【００４８】
選択部２１ｂは、後述する転写イメージ表示部２２ａに表示された転写後布帛の画像から、少なくとも１つの画像をユーザが選択できるように構成されている。選択部２１ｂは、感圧式や静電気式等のタッチパネルであってもよいし、キーボード、ボタン、マウス等のハードウェアにより構成されていてもよいし、ＣＰＵがプログラムを実行することにより機能的に実現されるように構成されていてもよいし、これらの組合せであってもよい。ユーザが選択した選択転写後布帛についての情報は、サーバー１０に送られる。
【００４９】
オーダー部２１ｃは、後述するキット情報表示部２２ｂがディスプレイ２２に表示したキット情報について、ユーザが購入を希望する場合は、当該キットを注文できるように構成されている。かかるオーダー部２１ｃは、一例として、公知のインターネット販売システム等を利用することができる。
【００５０】
ディスプレイ２２は、キット作製システム１において捺染用転写キットの作製を円滑に行うための視覚情報を表示する要素である。キット作製システム１から、ユーザに知らせるべき情報が表示される。図１のディスプレイ２２は、例えば、転写イメージ表示部２２ａと、キット情報表示部２２ｂとを兼ね備えている。ディスプレイ２２は、例えば、液晶や有機ＥＬ（エレクトロルミネッセンス）等によるディスプレイやであってもよい。このディスプレイ２２は、上記のタッチパネル式の入力装置２１と一体化されていてもよい。また、転写イメージ表示部２２ａとキット情報表示部２２ｂとの少なくとも一方は、例えば立体メガネであってもよい。なお、ここでいう立体メガネとは、例えば、バーチャル・リアリティー画像を視認することができるヘッドマウントディスプレイであり得る。この立体メガネの構成は特に制限されず、例えば、他のディスプレイに表示される３Ｄ画像（映像を含む。）を立体メガネを介して目視することで、三次元的な画像を視認（視聴であってもよい。）できるように構成されていてもよい。あるいは、立体メガネを、３Ｄ画像データを保存しているサーバー１０やＰＣ（情報処理端末２０であってよい。）に有線又は無線で接続することで、当該３Ｄ画像データに基づく３Ｄ画像を視認（視聴であってよい。）できるように構成されていてもよい。
【００５１】
転写イメージ表示部２２ａは、画像生成部１５が生成し、第１送信部１９ａにより送られた転写後布帛（仕上転写後布帛を含む。以下同じ。）の画像データに基づき、当該転写後布帛の画像をユーザに表示する。転写後布帛の画像データに、適否情報等が付帯している場合は、転写イメージ表示部２２ａは、当該付帯情報を併せて表示することができる。転写イメージ表示部２２ａは、情報処理端末２０に備えられるディスプレイ２２であってよい。例えば、サーバー１０に備えられた第１送信部１９ａが、転写後布帛の画像データをインターネットを介して情報処理端末２０に送信する。転写イメージ表示部２２ａは、受信した転写後布帛の画像データに基づき、少なくとも２つの転写後布帛の画像を表示するように構成されている。転写後布帛の画像の表示方法、レイアウトは特に制限されず、例えば、情報処理端末２０からユーザが転写イメージ表示部２２ａに表示される画像の数、大きさ等を選択可能に構成されていてもよい。ユーザは、ディスプレイ２２に表示されたこれら画像を視認することで、例えば、自身の用意した布帛に対して熱転写することで実現される意匠や、その意匠の幅の可能性を確認したり、自身の用意した布帛に対し熱転写することにより実現したい意匠の具体的なイメージを確認したりすることができる。
【００５２】
キット情報表示部２２ｂは、ユーザが選択した選択転写後布帛を得るための捺染用転写キットの情報を表示する。キット情報表示部２２ｂは、情報処理端末２０に備えられるディスプレイ２２であってよい。キット情報表示部２２ｂは、例えば、サーバー１０のキット情報生成部１６が生成し、第２送信部１９ｂにより情報処理端末２０に送られたキット情報を表示する。キット情報は、捺染用熱転写シートと転写条件とについての文字情報であってもよいし、画像を含む情報であってもよい。キット情報は、当該キットの値段を含む情報であるとよい。ユーザが複数の転写後布帛を選択した場合、キット情報は複数のキットについての情報であってよい。キット情報の表示方法、レイアウトは特に制限されず、例えば、情報処理端末２０からユーザがキット情報表示部２２ｂに表示されるキット情報の数、項目等を設定可能に構成されていてもよい。ユーザは、ディスプレイ２２に表示されたキット情報を視認することで、例えば、熱転写方法について理解するとともに、キット作製システム１を利用して当該キットを購入するかどうかを検討することができる。
【００５３】
なお、キット作製システム１では、ユーザに対して、布帛情報を容易に取得することができる布帛撮像セット３０を提供してもよい。布帛撮像セット３０は、布帛の色や表面形態についての情報を高精彩な画像として撮像するための補助手段である。布帛撮像セット３０は、例えば、図５に示すように、透明テーブル３２と、付加的に照明３４と色見本３６とを含む。透明テーブル３２は、透明の天板と、当該天板を支える脚とを備え、ユーザが所持する撮像手段３８を布帛表面から一定の高さに保持するための支持台である。透明テーブル３２は、例えば床面に載置した布帛の上に載置するとよい。また、布帛が縫製品などであって、立体的な形状を備えている場合は、透明テーブル３２の脚の下端が布帛の表面と同じ高さ位置となるように調整可能（例えば伸縮可能）に構成されているとよい。透明テーブル３２の透明天板の高さ（換言すると、脚の長さ）は特に制限されず、一例として、布帛表面からの距離が１〜２０ｃｍ程度、例えば３〜１０ｃｍ程度となるように設定されているとよい。照明３４は、布帛の色や表面形態の情報をより正確に取得するために布帛を照らす手段である。照明３４は、例えばＬＥＤ照明であり、その数は限定されない。図５のセット３０では、４つのＬＥＤ照明が透明テーブル３２の４つの脚にそれぞれ固定されている。これにより、４つの脚の中心付近の布帛をムラなく照らすことができる。ただし、脚の数、照明の種類、数、形状等は特に制限されない。色見本３６は、取得した画像から、布帛の色情報をより正確に数値化するための指標となる要素である。色見本３６は、キット作製システム１が採用する表色系に対応する色見本であるとよい。色見本３６としては、例えば、色相環や、基本色見本（例えば、３〜５色程度の色見本）等であってよい。ユーザは、例えば、布帛の上に透明テーブル３２と色見本３６とを載置し、透明天板の上に撮像手段３８（例えば、スマートフォン）を載置して、色見本３６を含めながら布帛を撮像する。これにより、布帛の色や表面形態の情報を含む高精細な画像を、ノイズを押さえて取得することができる。また、布帛の画像を色見本を用いて補整しながら解析することで、布帛の色をより正確に数値化することができる。色見本３６は、例えば、撮像手段３８が撮像した画像の倍率が容易に計算できるように、スケールバー等の縮尺表示を含んでいてもよい。布帛撮像セット３０は、布帛への熱転写を行う予定のユーザに提供することができる。
【００５４】
［捺染用転写キットの作製方法］
図６は、一実施形態に係る捺染用転写キットの作製方法のフローチャートである。捺染用転写キットの作製方法は、例えば、工程Ｓ１〜Ｓ５を含み、付加的に工程Ｓ６を含み得る。以下、ここに開示されるキット作製システム１を用いた捺染用転写キットの作製方法について簡単に説明する。
【００５５】
一般的には、サーバー１０の第１記憶部１１および第２記憶部１２には、キット作製システム１により提供可能な熱転写シート５０および仕上シートについての情報が予め記憶されている。サーバーは少なくとも第１記憶部１１に熱転写シートを記憶している。キット作製システム１により提供可能な熱転写シート５０および仕上シートに変更があれば、それらの情報は、例えば、定期的にあるいはその都度、更新するようにしてもよい。また、サーバー１０の布帛情報記憶部１３には、例えば、ユーザに提供され得る布帛または布帛製品についての情報が予め記憶されていてもよい。
【００５６】
工程Ｓ１では、ユーザが情報処理端末２０によりサーバー１０にアクセスし、データ送信部２１ａにより布帛についての情報を送信する。送られた布帛情報は、サーバー１０の第１受信部１８ａが受信し、布帛情報記憶部１３に記憶する。データ送信部２１ａは、ユーザが布帛情報を簡便に送信できるように構成されていてもよい。例えば、ここでは、布帛の組成として、「綿」が「１００％」であることをプルダウンリスト等から選択したり、また、布帛のスキャン画像データをファイル送信機能を利用することで、サーバー１０に送信したりできるよう構成されている。また、サーバー１０は、例えば、受信した布帛情報を解析するアプリケーションを搭載していてもよい。サーバー１０は、ユーザから送信されたこれらのデータを必要に応じて解析し、布帛情報記憶部１３に記憶する。例えば、サーバー１０は、画像解析機能を備え、撮像データや、スキャンデータから布帛の色と表面の凹凸とを解析し、色情報および表面粗さ情報を布帛情報記憶部１３に記憶することができる。本実施形態で使用する布帛は、例えば、表面粗さが比較的大きい帆布である。なお、本例のキット作製システム１では、例えば、システム１が作成する転写後布帛の画像データの数を指定することができるように構成されている。ユーザは、システム１が作成する転写後布帛の画像データの数を、例えば「２０」と指定することができる。
【００５７】
工程Ｓ２では、画像生成部１５が、第１記憶部１１および布帛情報記憶部１３にアクセスし、布帛および熱転写シート５０に関する情報から、当該布帛に熱転写シートが転写されたときの転写後布帛の画像データを作成する。布帛情報は、ユーザが送信した情報のほかに、布帛情報記憶部１３に予め記憶されていた当該布帛の追加の情報を含んでいてもよい。画像生成部１５は、布帛情報および熱転写シート情報に基づき、当該熱転写シートの推奨転写条件で転写したときの転写後布帛の画像データのほかに、異なる転写条件で転写したときの転写後布帛の画像データを作成する。例えば、本例では、画像生成部１５は、第２記憶部１２にアクセスして、仕上シート情報を入手する。そして、画像生成部１５は、仕上転写をしない転写後布帛の画像データと、当該転写後布帛が仕上転写を施されたときの画像データとを作成する。このとき、仕上転写の標準処理条件に加えて、仕上転写の加熱温度および加熱時間の少なくとも１つを変更した変更条件にて仕上転写したときの仕上転写後布帛についての画像データを作成してもよい。ここで、ユーザによって、作成する転写後布帛の画像データの数が例えば「２０」と指定されている場合は、例えば、画像生成部１５は、布帛情報に基づいて、相性のよい（換言すると、適否の程度の高い）ほうから２０通りの熱転写シート５０と転写条件との組合せに基づく転写後布帛の画像データを作成するように構成されていてもよい。作成された転写後布帛および仕上転写後布帛の画像データは、記憶部に記憶される。
【００５８】
工程Ｓ３では、記憶部に保存された転写後布帛の画像データを、第１送信部１９ａが情報処理端末２０に送信し、当該転写後布帛の画像データに基づき、少なくとも２つの転写後布帛の画像を転写イメージ表示部２２ａに表示する。これにより、ユーザは、加飾対象の布帛に、様々な種類の熱転写シート５０および離型紙を用いて転写したときに得られる布帛の意匠性を、画像によりリアルに確認することができる。
【００５９】
工程Ｓ４では、転写イメージ表示部２２ａに表示された２以上の転写後布帛および仕上転写後布帛の画像のなかから、ユーザは、布帛に対して転写により付与したい意匠を実現している画像を選択する。ユーザは、例えば、各画像の周辺に設けられているチェックボックスをマウス等の選択部２１ｂで選択することで、１以上の転写後布帛画像を選択することができる。あるいは、転写後布帛の画像と紐付けられたＩＤ等の選択により、転写後布帛画像を選択するようにしてもよい。このことにより、かかる意匠を実現するための熱転写シート５０と転写情報とを含む捺染用転写キットを決定することができる。本実施形態では、例えば、布帛である帆布の凹凸の奥にまでしっかりと転写層が入り込み密着している仕上がりを選択した。ユーザが選択した選択転写後布帛についての情報はサーバー１０に送られ、第２受信部１８ｂが受信する。第２受信部１８ｂは、選択転写後布帛についての情報を、キット情報生成部１６に送る。
【００６０】
工程Ｓ５では、キット情報生成部１６が、ユーザにより選択された選択転写後布帛を作成するのに用いるキット情報を作成する。当該キット情報は、第２送信部１９ｂが情報処理端末２０に送信し、キット情報表示部２２ｂに表示される。これにより、ユーザは、目的の意匠を実現し得る熱転写シート５０の情報と、これを用いた転写条件とを知ることができる。ユーザが工程Ｓ５で複数の転写後布帛の画像を選択した場合、捺染用転写キット情報についても複数のキットについての情報が表示され得る。本実施形態では、例えば、高温で軟化する接着樹脂層５６を備えた熱転写シート５０と、厚み方向の柔軟性および弾性が高い基材を備える離型紙と、転写条件レシピと、の組合せからなる捺染用転写キットが表示された。
【００６１】
工程Ｓ６は、付加的な工程である。ユーザは、上記で決定した捺染用転写キットの購入を希望する場合、情報処理端末２０のオーダー部２１ｃから、サーバー１０に対して、キットの購入を注文する。サーバー１０は、かかる捺染用転写キットの購入の注文を受ける。ユーザは、必要に応じて、支払い方法や配送先の情報を情報処理端末２０に入力し、サーバー１０に送信する。これにより、ユーザが選択した意匠を実現することができる捺染用転写キットを簡便に入手することができる。本実施形態では、キット情報生成部１６が作成したキット情報に基づいて、捺染用転写キットをオンラインで購入した。
【００６２】
なお、捺染用転写キットを入手したユーザは、熱転写シート５０にダイレクトに所望の意匠を捺染印刷することができる。熱転写シート５０への捺染印刷は、転写の前の転写層５４が剥離シート５２に支持された状態で行われる。捺染印刷は、ユーザが用意した任意の印刷データに基づき、捺染インクを用いたインクジェットプリンタにより印刷すると、無版で高精細に図柄を印刷できるために好ましい。この捺染印刷によって、熱転写シート５０のインク受容層５７に所望の意匠を付与することができる。また、捺染インクを用いて印刷することで、耐久性および耐候性に優れ、洗濯堅牢性の高い図柄を印刷できる点においても好ましい。本実施形態では、捺染用転写キットに含まれる熱転写シート５０に、捺染インクを用いたインクジェットプリンタにより、所望の画像を印刷した。
【００６３】
意匠が付与された熱転写シート５０は、典型的には、家庭用アイロンを用いた熱圧着によって被加飾物に転写される。熱転写に際し、例えば、具体的には、アイロン台の上に、布帛（被加飾物）と熱転写シート５０とを載置する。熱転写シート５０は、転写層５４の側の表面が布帛に当接するように布帛の上に載置され、布帛に対する転写位置が調整される。アイロンは、例えば、キットに含まれるレシピに記載された熱転写条件に従って、布帛および熱転写シート５０に適切な所定の転写温度に設定される。また、ユーザは、レシピに記載された熱転写条件に従って、アイロンを熱転写シート５０の剥離シート５２の上に当てて所定の時間押圧する。例えばレシピに記載のとおり、アイロンの当て方や、当てる順序を調整してもよい。これにより、転写層５４（典型的には接着樹脂層５６）が軟化されて、インク受容層５７とともに布帛に付着する。その後、接着樹脂層５６が冷却されて硬化することで、転写層５４は被加飾物に固着される。接着樹脂層５６が硬化した後に、ユーザが剥離シート５２を離型層５３から剥離することで、転写層５４を布帛に転写することができる。
【００６４】
また、捺染用転写キットに離型紙が含まれる場合、上記の転写の後に、仕上転写をするとよい。仕上転写に際しては、例えば、具体的には、アイロン台の上に、転写層５４が転写された布帛と離型紙とを載置する。離型紙は、剥離層が設けられた側が転写層５４に面するように布帛の上に載置され、布帛に対する位置が調整される。アイロンは、例えば、キットに含まれるレシピに記載された仕上転写条件に従って、布帛および転写層５４に適切な所定の転写温度に設定される。また、ユーザは、レシピに記載された仕上転写条件に従って、アイロンを離型紙の上に当てて所定の時間押圧する。例えばレシピに記載のとおり、アイロンの当て方や、当てる順序を調整してもよい。本実施形態では、捺染用転写キットに含まれる離型紙を用いて、仕上転写を実施した。これにより、離型紙の布帛の側の表面が、布帛の表面の凹凸に沿って変形しつつ、転写層５４を押圧する。その結果、布帛の凹部に対して浮いていた転写層５４が軟化されるとともに、布帛の表面の凹部に押し込まれた。その後、転写層５４が冷却されて硬化することで、転写層５４は布帛により密着した状態で固着された。接着樹脂層５６が硬化した後に、ユーザが離型紙を剥離することで、当初想定していたとおり、転写層５４に布帛の表面形態をより反映させた状態で布帛に転写することができた。また、熱転写に加えて、仕上転写を行ったことで、捺染インクの水媒体を十分に乾燥させるとともに、捺染インクの染のりによる顔料の定着性も向上された。これにより、顔料を転写層および帆布の繊維に堅く固着させることができた。
【００６５】
以上のように、ここに開示されるキット作製システム１によると、布帛や熱転写シートの特性についての知識に乏しいユーザ等であっても、布帛に対して熱転写シートによる転写捺染の仕上がりを画像によって具体的に確認することができる。これにより、所望の仕上がりを表現可能な熱転写シートと、その転写情報とを得ることができる。これにより、熱転写シートの選択の失敗を抑制して、所望の仕上がりとなる転写条件で、布帛に転写捺染を施すことができる。
【００６６】
また、上記キット作製システム１は、ユーザが布帛に対し転写する予定の画像についての転写画像情報を記憶する画像情報記憶部１４を備えている。また、画像生成部１５は、布帛情報と、熱転写シートについての情報と、この転写画像情報とから、布帛に対し当該画像を熱転写シートを用い、少なくとも１つの転写条件にて熱転写して得られる少なくとも２つの異なる転写後布帛の画像データを作成するように構成されていてもよい。これにより、ユーザは、転写予定の画像を含めた転写結果を、予め確認することができる。その結果、ユーザは、より所望の仕上がりに近い転写捺染を実現できる捺染用転写キットを購入することができる。
【００６７】
さらに、上記構成によると、キット作製システム１は、１または２以上の仕上シートについての仕上シート情報を記憶する第２記憶部１２を備えている。また、画像生成部１５は、転写後布帛の画像データと、転写後布帛に対して仕上シートのうちの少なくとも１つの仕上シートを用いて仕上転写した転写後布帛の画像データと、を作成するように構成されている。この場合、キットに含まれる転写条件は、仕上転写の加熱温度および加熱時間の少なくとも１つを含む。このような構成によると、ユーザは、仕上転写を行った方がよいかどうかを、転写後布帛の画像を確認することで判断することができる。また、仕上転写の適用の知識と、適切な仕上転写条件とを得ることができる。
【００６８】
さらに、上記構成によると、キット作製システム１は、布帛についての情報を布帛情報記憶部１３に送信するデータ送信部２１ａを備えている。そして布帛についての情報は、少なくとも当該布帛の主組成と、当該布帛のスキャン画像データ、当該布帛の撮像データ、ならびに、当該布帛についての主組成情報、色情報および表面粗さ情報を含むコード情報から選択される少なくとも１つを含む。これにより、ユーザは、自身が選択した任意の布帛について、より正確な情報をサーバー１０に送信することができる。また、ユーザは、キット作製システム１によって自身が選択した布帛に適した捺染用転写キットを得ることができる。
【００６９】
また、上記構成によると、キット作製システム１は、ユーザが、キット情報表示部に表示されたキット情報に対応するキットの購入を注文できるように構成されているオーダー部を備えている。これにより、ユーザは、所望の転写捺染を実現し得る熱転写シートおよび離型紙を確実かつ簡便に入手することができる。
【００７０】
以上、本発明の好適な実施形態について説明した。しかし、上述の各実施形態は例示に過ぎず、本発明は他の種々の形態で実施することができる。例えば、上記実施形態において、熱転写シート５０のインク受容層５７は、最表面に配置されていた。そのため、ユーザは、熱転写シート５０に所望の意匠を捺染印刷してから、熱転写シート５０を布帛に熱転写していた。しかしながら、熱転写シート５０への捺染印刷のタイミングはこれに限定されない。例えば、捺染印刷は、熱転写シート５０を浮薄に熱転写した後に実施してもよい。例えば、具体低には図示しないが、熱転写シート５０によっては、転写層５４のうち、インク受容層５７よりも表面側に、光沢粒子（例えば、金粉、金属アルミニウム粒子、着色金属アルミニウム粒子、マイカ粒子）を含有する層が設けられたものがある。このような熱転写シート５０は、表面の光沢粒子含有層がインクを弾きやすいことから、そのままでは高精細な図柄の捺染印刷は不可能である。このような熱転写シート５０については、先に転写層５４を布帛に転写し、必要に応じて仕上転写したのちに、転写層５４部分に捺染印刷するとよい。これにより、インク受容層５７が布帛の表面側に露出されて、転写層５４の捺染印刷性が高くなるために好ましい。
【００７１】
また、上記の転写後布帛の画像データの作成に際し、布帛と熱転写シート５０との適否判断は、例えば、サーバー１０に備えられた適否判断部（図示せず）によって判断するように構成されていてもよい。適否判断部は、他の各部と同様に、ハードウェアにより構成されていてもよいし、ＣＰＵがプログラムを実行することにより機能的に実現されるように構成されていてもよい。また、サーバー１０に備えられる各部は、２以上が１つのハードウェアによって実行されてもよいし、各部が２以上のハードウェアの組合せによって実行されてもよい。
【００７２】
また、上述のサーバー１０は、例えば、捺染用転写キット作製装置等として機能し得る。例えば、この捺染用転写キット作製装置は、１または２以上の捺染用熱転写シートについての熱転写シート情報を記憶する第１記憶部１１と、ユーザが転写の対象とする布帛についての布帛情報を受信する第１受信部１８ａと、上記布帛情報と、上記捺染用熱転写シートのうちの少なくとも１つの第１捺染用熱転写シートについての情報とから、上記布帛に対し上記第１捺染用熱転写シートを用い少なくとも１つの転写条件にて熱転写して得られる少なくとも２つの転写後布帛の画像データを作成する画像生成部１５と、少なくとも２つの前記転写後布帛の画像データをユーザに送信する第１送信部１９ａと、送信した少なくとも２つの前記転写後布帛の画像データのうち、ユーザが選択した選択転写後布帛についての情報を受信する第２受信部１８ｂと、上記選択転写後布帛を得るために用いられる上記第１捺染用熱転写シートと上記転写条件とを含む捺染用転写キットの情報を生成するキット情報生成部１６と、上記捺染用転写キットの情報をユーザに送信する第２送信部１９ｂと、を備える。この捺染用転写キット作製装置によると、当該装置にアクセスを許可したユーザに対して、そのユーザの所望する捺染転写を可能とする捺染用転写キット情報およびその捺染用転写キットを提供するシステムを構築することができる。
【００７３】
また、ここに開示される技術は、コンピュータを、上記のキット作製システム１として機能させるように構成されているコンピュータプログラムを提供する。このコンピュータプログラムは、例えばコンピュータを、１または２以上の捺染用熱転写シートについての熱転写シート情報を記憶する手段と、ユーザが転写の対象とする布帛についての布帛情報を記憶する手段と、布帛情報と、捺染用熱転写シートのうちの少なくとも１つの第１捺染用熱転写シートについての情報とから、布帛に対し第１捺染用熱転写シートを用い、異なる転写条件にて熱転写して得られる少なくとも２つの転写後布帛の画像データを作成する手段と、転写後布帛の画像データに基づき、少なくとも２つの上記転写後布帛の画像を表示する手段と、ユーザが、少なくとも２つの上記転写後布帛の画像のうち少なくとも１つの画像を選択可能にする手段と、ユーザが選択した選択転写後布帛を得るために用いられる第１捺染用熱転写シートと転写条件とを含む捺染用転写キットの情報を表示する手段と、して機能させるためのプログラムである。
【００７４】
このコンピュータプログラムは、例えば、記録媒体に記録されていてもよい。換言すると、ここに開示される技術は、上記プログラムが記録された、コンピュータが読み取り可能な記録媒体を提供することができる。記録媒体としては、例えば、半導体記録媒体（例えば、ＲＯＭ、不揮発性メモリーカード）、光記録媒体（例えば、ＤＶＤ、ＭＯ、ＭＤ、ＣＤ、ＢＤ）、磁気記録媒体（例えば、磁気テープ、フレキシブルディスク）などが例示される。また、上記コンピュータプログラムは、上記記録媒体あるいはインターネット等のネットワークを介して、サーバー１０に送信することができる。
【符号の説明】
【００７５】
１  キット作製システム
１０  サーバー
１１  第１記憶部
１２  第２記憶部
１３  布帛情報記憶部
１４  画像情報記憶部
１５  画像生成部
１６  キット情報生成部
１７  受注部
２０  情報処理端末
２１  入力装置
２２  ディスプレイ
５０  熱転写シート
【図１】
2020071628.tif 000003
【図２】
2020071628.tif 000004
【図３】
2020071628.tif 000005
【図４】
2020071628.tif 000006
【図５】
2020071628.tif 000007
【図６】
2020071628.tif 000008